(57)【要約】【課題】所定期間内の目標量に応じて、入力画像に対応する出力色信号量を調整する。【解決手段】本発明の一実施形態に係る画像処理装置は、所定期間の目標色信号量を算出する算出手段と、入力画像に対応する出力色信号量から累積色信号量を算出し、目標色信号量に対する目標達成度を予測する予測手段と、予測した目標達成度に応じて、出力画像の画質レベルを決定する決定手段と、決定した画質レベルに応じて、入力画像に対応する出力色信号を調整する調整手段とを備えたことを特徴とする。【選択図】図２
2018195947.tif 000002
【特許請求の範囲】
【請求項１】
所定期間の目標色信号量を算出する算出手段と、
入力画像に対応する出力色信号量から累積色信号量を算出し、前記目標色信号量に対する目標達成度を予測する予測手段と、
前記予測した目標達成度に応じて、出力画像の画質レベルを決定する決定手段と、
前記決定した画質レベルに応じて、前記入力画像に対応する出力色信号を調整する調整手段と
を備えたことを特徴とする画像処理装置。
【請求項２】
前記目標色信号量は、前記出力画像の出力に使用可能な色材単位当たりの換算信号量と、ユーザによって設定された目標値である色材量とを用いて算出されることを特徴とする請求項１に記載の画像処理装置。
【請求項３】
前記目標値である色材量は、色材の色毎の数量、または、前記色材の総量で指定されることを特徴とする請求項２に記載の画像処理装置。
【請求項４】
前記目標色信号量は、基準画像を１枚の記録媒体に出力した場合に使用される基準信号量と、ユーザによって設定された目標値である出力枚数とを用いて算出されることを特徴とする請求項１に記載の画像処理装置。
【請求項５】
前記目標値である出力枚数は、カラー出力の出力枚数、カラー出力及びモノクロ出力のそれぞれの出力枚数、または、カラー出力及びモノクロ出力の総出力枚数で指定されることを特徴とする請求項４に記載の画像処理装置。
【請求項６】
前記目標達成度の予測手段は、前記累積色信号量から単位期間当たりの色信号量を算出し、前記算出した色信号量から前記所定期間の終了時における累積色信号量を予測し、前記予測した累積色信号量と前記目標色信号量とを比較することで、前記目標達成度を予測することを特徴とする請求項１乃至５のいずれか１項に記載の画像処理装置。
【請求項７】
前記出力色信号の調整手段は、前記目標達成度が前記目標色信号量を超過すると予測された場合に、前記出力画像の画質レベルを低画質レベルに切り替えることを特徴とする請求項１乃至４のいずれか１項に記載の画像処理装置。
【請求項８】
前記出力色信号の調整手段は、前記所定期間が終了するまでの期間に必要な信号量の削減率に基づいて、前記出力画像の画質レベルを前記低画質レベルに切り替えることを特徴とする請求項７に記載の画像処理装置。
【請求項９】
前記出力色信号の調整手段は、前記切り替えた画質レベルが、所定の画質レベルを下回る場合に、前記切り替えた画質レベルを維持するか否かをユーザの入力に応じて判定することを特徴とする請求項７または８に記載の画像処理装置。
【請求項１０】
前記出力色信号の調整手段は、前記ユーザの入力に応じて前記切り替えた画質レベルを維持する場合に、前記出力画像の画質低下の可能性を前記ユーザに通知することを特徴とする請求項９に記載の画像処理装置。
【請求項１１】
前記出力色信号の調整手段は、前記ユーザの入力に応じて前記切り替えた画質レベルを前記所定の画質レベルを上回る画質レベルにさらに切り替えることを特徴とする請求項９に記載の画像処理装置。
【請求項１２】
前記出力色信号の調整手段は、前記切り替えた画質レベルをさらに切り替えた場合に、目標超過の可能性を前記ユーザに通知することを特徴とする請求項１１に記載の画像処理装置。
【請求項１３】
前記所定の画質レベルは、前記ユーザが前記出力画像の色味の変動を許容できる画質レベルであることを特徴とする請求項９乃至１２のいずれか１項に記載の画像処理装置。
【請求項１４】
前記出力色信号の調整手段は、前記画質レベルに対応する信号調整情報を用いて前記入力画像に対応する出力色信号を調整することを特徴とする請求項１乃至１３のいずれか１項に記載の画像処理装置。
【請求項１５】
前記信号調整情報は、各色の信号量の平均削減率が指定された色差別色変換テーブルであることを特徴とする請求項１４に記載の画像処理装置。
【請求項１６】
前記出力色信号の調整手段は、カラー出力とモノクロ出力とで異なる信号調整情報を用いて前記入力画像に対応する出力色信号を調整することを特徴とする請求項１４に記載の画像処理装置。
【請求項１７】
画像処理装置によって実行される画像処理方法であって、
所定期間の目標色信号量を算出する算出工程と、
入力画像に対応する出力色信号量から累積色信号量を算出し、前記目標色信号量に対する目標達成度を予測する予測工程と、
前記予測した目標達成度に応じて、出力画像の画質レベルを決定する決定工程と、
前記決定した画質レベルに応じて、前記入力画像に対応する出力色信号を調整する調整工程と
を含むことを特徴とする画像処理方法。
【請求項１８】
コンピュータを請求項１乃至１６のいずれか１項に記載の画像処理装置として機能させるためのプログラム。
【発明の詳細な説明】
【技術分野】
【０００１】
本発明は、色信号を調整する画像処理装置、画像処理方法、及びプログラムに関する。
【背景技術】
【０００２】
従来、所謂トナー節約モードで動作する画像形成装置において、通常印刷時のトナー消費量に対する所定の比率で設定された省トナー目標値に基づいて入力画像に対応する出力色信号を調整し、トナー消費量を削減する技術が知られている（特許文献１参照）。かかる技術では、入力画像に応じて変動する省トナー量を１ページ印刷する毎に算出し、算出した省トナー量を次ページの印刷処理に割り当てることで、ユーザが希望する画質を保持するようにしている。
【先行技術文献】
【特許文献】
【０００３】
【特許文献１】特開２０１３−１１７７１５号公報
【発明の概要】
【発明が解決しようとする課題】
【０００４】
しかしながら、上記従来技術では、予め設定された所定期間内の目標量に応じて、入力画像に対応する出力色信号を調整することはできなかった。
【課題を解決するための手段】
【０００５】
本発明の一実施形態に係る画像処理装置は、所定期間の目標色信号量を算出する算出手段と、入力画像に対応する出力色信号量から累積色信号量を算出し、前記目標色信号量に対する目標達成度を予測する予測手段と、前記予測した目標達成度に応じて、出力画像の画質レベルを決定する決定手段と、前記決定した画質レベルに応じて、前記入力画像に対応する出力色信号を調整する調整手段とを備えたことを特徴とする。
【発明の効果】
【０００６】
本発明によると、予め設定された所定期間内の目標量に応じて、入力画像に対応する出力色信号を調整することができる。
【図面の簡単な説明】
【０００７】
【図１】本発明の一実施形態における画像形成装置の構成図である。
【図２】本発明の一実施形態における画像形成装置のモジュール構成図である。
【図３】本発明の一実施形態における画像処理のフローチャートである。
【図４】本発明の一実施形態における画質レベル切り替え処理のフローチャートである。
【図５】本発明の一実施形態における目標設定画面を説明する図である。
【図６】本発明の一実施形態における目標達成度予測処理を説明する図である。
【図７】本発明の一実施形態における優先項目選択画面を説明する図である。
【図８】本発明の一実施形態における信号調整用濃度変換テーブルを説明する図である。
【図９】本発明の一実施形態における画質レベル切り替え処理のフローチャートである。
【発明を実施するための形態】
【０００８】
以下、本発明を実施するための形態について、図面を用いて詳細に説明する。
【０００９】
（第１の実施形態）
図１は、本発明の第１の実施形態における画像形成装置の構成図である。画像形成装置１００は、以下に説明するように、画像の入出力及び制御を行う処理部を備える。
【００１０】
制御部１０１は、画像形成装置１００を制御する装置制御部１０２と、画像データを最適化する画像処理部１０３とを有する。
【００１１】
制御部１０１は、ＣＰＵ１０５やＲＡＭ１０６を用いて画像入力部１０８から入力画像を取得し、画像データを処理して記憶部１０７へ格納する。また、制御部１０１は、画像出力部１０９を通して出力画像を記録用紙などの記録媒体に記録したり、モニタなどの表示デバイスに表示したりする。
【００１２】
制御部１０１へはマウスやキーボードなどの操作部１０４であるＵＩ（ユーザインタフェース）や、プレビュー機能を備えたタッチパネルなどの表示部１１１より各種設定が通知される。画像処理部１０３は、通知された設定に基づいて画像データを処理する。あるいは、操作部１０４で設定された値は、装置制御部１０２を通して記憶部１０７に保存される。画像処理部１０３は、記憶部１０７に保存された設定値を読み出して画像データを処理する。
【００１３】
記憶部１０７は、画像形成装置１００を制御するためのパラメータや本実施形態を実現するためのアプリケーションプログラム、ＯＳなどを格納している。
【００１４】
その他、画像形成装置１００は、必要に応じてルーターやファイヤーウォール等のネットワークインタフェースを有してもよい。また、画像形成装置１００には、ＰＣ（パーソナルコンピュータ）などの情報処理装置を追加してもよい。このように、画像形成装置１００には、必要に応じてその他の構成要素を追加可能である。
【００１５】
また、画像形成装置１００は、必ずしも画像出力部１０９を備えていなくてもよく、上記処理部によって処理された入力画像を外部の画像出力装置に送信して画像を出力するように構成してもよい。すなわち、画像形成装置１００は、入力画像を処理する画像処理装置として実現することもできる。
【００１６】
図２は、本実施形態における画像形成装置のモジュール構成図である。
【００１７】
操作部１０４に含まれる目標設定部２０１は、ユーザからの指示と、記憶部１０７に保持された装置情報２０６とに基づき、画像形成装置１００による画像処理に適用される目標値及び目標が適用される条件を設定する。設定された目標値及び目標が適用される条件は、記憶部１０７に目標設定情報２０７として保持される。
【００１８】
画像入力部１０８が入力画像を受け取ると、画像処理部１０３の色変換部２０３が、画像データの入力色信号を標準の出力色信号に変換する。色信号の変換には、記憶部１０７に保持されている色変換テーブル２０９が用いられる。
【００１９】
次に、装置制御部１０２の目標制御部２０２が、画像の出力色信号量を用いて、ユーザによって予め設定された目標量に対する目標達成度を予測し、出力画像の画質レベルを決定する。その結果は、目標予測情報２０８として記憶部１０７に保持される。
【００２０】
次に、この目標予測情報２０８を用いて、画像処理部１０３の信号調整部２０４が、色変換部２０３によって変換された出力色信号を調整する。調整された出力色信号を用いて、画像形成部２０５が出力画像を形成し、画像出力部１０９より出力する。
【００２１】
以下、図３〜７を用いて、本実施形態における画像処理を説明する。なお、本実施形態で説明するフローチャートの各ステップにおける処理を実行するプログラムは、ＲＡＭ１０６に展開されており、ＣＰＵ１０５がこのプログラムを実行することにより、フローチャートで示す処理が実行される。
【００２２】
図５は、本実施形態における目標設定画面を説明する図である。
【００２３】
目標設定画面５０１は、目標の適用項目として使用トナー数量５０４及び印刷枚数５０５を含む。また、目標設定画面５０１は、目標の適用期間５０６、画質レベル（初期画質）５０７、適用部門５０８、及び適用ユーザ５０９を含む。
【００２４】
目標設定画面５０１は、画像形成装置１００の操作部１０４に表示される。制御部１０１は、目標設定画面５０１上でユーザにより選択された項目、例えば、使用トナー数量５０４や印刷枚数５０５を、目標設定情報として受信する。本実施形態では、使用トナー数量５０４が選択された場合について説明する。
【００２５】
使用トナー数量５０４が目標の適用項目として選択されると、具体的な目標値を設定するための目標値設定画面５０２が表示される。本実施形態では、色材であるＣＭＹＫの各色のトナーそれぞれに対して色毎に目標値（すなわち、色材量）が設定される。目標値設定画面５０２では、ユーザは、ＣＭＹＫ毎の入力欄５１１〜５１４に使用トナー数量として色毎のトナー本数（すなわち、色材の色毎の数量）を入力して指定することができる。或いは、入力欄５１５に、色を区別せずに使用トナー数量の総数（すなわち、色材の総量）を入力して指定することもできる。使用トナー数量の総数を指定する場合、ユーザは入力欄５１５のみにトナー本数を入力し、後述する目標達成予測は、全トナーの総数で判断される。
【００２６】
また、目標設定画面５０１では、適用期間５０６に所定期間として目標の有効期間を設定することが可能である。この例では、目標の有効期間は開始日から１０日後までとなる。
【００２７】
さらに、目標設定画面５０１では、画質レベル（初期画質）５０７、適用部門５０８、及び適用ユーザ５０９などを設定することにより、初期状態での画質レベルや、設定した目標に拘束される部門やユーザを限定することも可能である。
【００２８】
その他の目標値設定画面５０３、５１９については、後述する実施形態において説明する。
【００２９】
図３は、本実施形態における画像処理のフローチャートである。
【００３０】
ステップＳ３０１〜Ｓ３０４は、操作部１０４の目標設定部２０１による処理である。
【００３１】
ステップＳ３０１で、目標設定部２０１は、記憶部１０７に予め保持されている装置情報２０６を取得する。装置情報２０６とは、上述した目標設定画面５０１で設定された目標値と、本実施形態で制御される出力色信号との関係を定義する情報であり、これを用いて所定期間における目標信号量が算出される。以下の表１に、本実施形態における装置情報２０６の例を示す。
【００３２】
【表１】
2018195947.tif 000003
【００３３】
表１に記載の「換算信号量」とは、画像形成装置１００に装着されたトナーカートリッジまたはトナーボトル１単位（本）当たりで印刷可能な出力色信号量を示す。すなわち、出力画像の出力に使用可能な色材単位当たりの信号量である。表１のテーブルでは、換算信号量が色毎に示されている。
【００３４】
ステップＳ３０２で、目標設定部２０１は、ユーザにより設定された目標の適用項目と目標値を取得し、記憶部１０７に目標設定情報２０７として格納する。
【００３５】
ステップＳ３０３で、目標設定部２０１は、ユーザにより設定された目標の適用期間、画質レベル、適用部門、及び適用ユーザなどの目標の適用条件を取得し、記憶部１０７に格納された目標設定情報２０７に追加する。
【００３６】
以下の表２は、本実施形態において印刷装置Ａに対して設定された目標設定情報２０７の例を示す。
【００３７】
【表２】
2018195947.tif 000004
【００３８】
表２では、目標の適用項目が使用トナー数量（すなわち、トナーボトルの使用本数）で設定され、各色の目標値は、Ｃ／Ｍ／Ｙが各１本、Ｋが３本として設定されている。なお、色別ではなく総数で目標値を設定する場合は、ＡＬＬ（この場合、６本）が用いられる。
【００３９】
また、表２では、目標の適用条件として、適用期間が「１０日間」、画質レベルが「レベル０」、適用部門が「企画課」、適用ユーザが「一般」として設定されている。
【００４０】
次に、ステップＳ３０４で、目標設定部２０１は、表１に示した各色のトナー１本当たりの換算信号量と、表２に示した各色の目標値（すなわち、各色のトナー本数）を用いて、表２に示した適用期間内の目標となる目標色信号量を算出する。この例では、Ｃｙａｎトナーの目標値は１本であり、装置情報２０６によればトナーボトル１本あたりの換算信号量は１０００であることから、目標適用期間の１０日間で使用可能な目標色信号量は、１０００×１（本）＝１０００となる。同様に、Ｍａｇｅｎｄａトナー、Ｙｅｌｌｏｗトナー、及びＢｌａｃｋトナーの各色の目標値も算出され、それぞれ、１０００×１（本）＝１０００、１２００×１（本）＝１２００、１０００×３（本）＝３０００となる。目標設定部２０１は、算出した各色の目標色信号量を、記憶部１０７の目標予測情報２０８として保持する。
【００４１】
なお、目標値がトナー数量の総数（すなわち、ＡＬＬ）で指定されている場合は、表１の装置情報２０６の中で最も大きい換算信号量を用いて、目標色信号量を算出する。この場合、Ｙｅｌｌｏｗの換算信号量が最も大きいので、目標色信号量は、１２００×６（本）＝７２００となる。
【００４２】
以下の表３は、目標予測情報２０８として保持されている各色の目標色信号量を示す。目標色信号量以外の情報（すなわち、累積色信号量、目標達成予測、及び必要削減率）は、後述するステップＳ３０７以降の処理において目標予測情報２０８として格納される。なお、目標値がＡＬＬで指定されている場合は、各色の目標色信号量は算出されないため、ＡＬＬに対する目標色信号量のみが目標予測情報２０８として格納される。
【００４３】
【表３】
2018195947.tif 000005
【００４４】
以上で、目標設定部２０１による処理が終了する。ステップＳ３０５以降は、画像出力時の処理である。
【００４５】
ステップＳ３０５で、画像入力部１０８は、入力画像のビットマップデータを受取る。
【００４６】
ステップＳ３０６で、画像処理部１０３の色変換部２０３は、ビットマップデータの各画素が持つ入力色信号を、画像形成装置の出力色信号に変換する。この色変換処理は、記憶部１０７に保持された色変換テーブル２０９を用いて行われる。色変換テーブル２０９は、画像形成装置に最適な色変換が行われるように作成された装置標準の色変換テーブルであり、例えば、入力色信号であるＲＧＢ信号値を、出力色信号であるＣＭＹＫ信号値に変換するために使用される。
【００４７】
以下の表４は、本実施形態における色変換テーブル２０９の例を示す。色変換テーブル２０９は、一般的な３次元ルックアップテーブル（ＬＵＴ）であり、ＲＧＢ３次元空間の各格子点にＣＭＹＫ値を対応させたテーブルである。
【００４８】
【表４】
2018195947.tif 000006
【００４９】
ステップＳ３０７〜Ｓ３０９は、装置制御部１０２の目標制御部２０２による処理である。
【００５０】
ステップＳ３０７で、目標制御部２０２は、目標適用期間が開始されてから現在までの各色の累積色信号量を算出する。具体的には、目標制御部２０２は、まず、ステップＳ３０６で変換した出力色信号の画像内の各色の出力色信号量を算出する。ここでは、ビットマップデータにおける画素毎の信号値を、ＣＭＹＫそれぞれに対しビットマップデータの全ての画素分足し合わせることで、ＣＭＹＫのそれぞれについて色信号の合計値を求める。これにより、現在処理中の画像を出力する際に必要なＣＭＹＫそれぞれの色信号量が算出可能である。
【００５１】
さらに、目標制御部２０２は、表３に示すように、目標適用期間が開始されてから現在までの全ての出力画像に対する色信号量を加算して得られる出力色信号の累積色信号量を算出し、目標予測情報２０８として保持する。例えば、ある画像を出力する際、その画像のビットマップデータのＣｙａｎの色信号量が５０、その直前までのＣｙａｎの累積色信号量が１００であったとすると、画像を出力した後のＣｙａｎの累積色信号量は、１００＋５０＝１５０となる。
【００５２】
なお、目標値がＡＬＬで指定されている場合は、各色の累積色信号量の合算値を算出する。
【００５３】
次に、ステップＳ３０８にて、目標制御部２０２は、各色の現時点までの使用状況（累積色信号量）から、適用期間終了時における各色の目標達成度を予測する。すなわち、目標制御部２０２は、目標の適用期間終了時に各色の累積色信号量が目標色信号量を下回るか否かを、例えば次に説明する方法を用いて予測する。目標の適用期間終了時に累積色信号量が目標色信号量を下回る状態が、目標が達成可能である状態を表す。
【００５４】
図６は、本実施形態における目標達成度予測処理を説明する図である。図６（Ａ）は、判定日までの実績（累積色信号量）から目標が達成可能であると予測される状況を示し、図６（Ｂ）は、目標の達成が困難であると予測される状況を示す。以下、図６（Ａ）、（Ｂ）、及び表２、３を用いて、本実施形態における目標達成度予測処理について説明する。
【００５５】
表３の目標予測情報２０８は、表２に記載の目標設定情報２０７に対応する印刷装置Ａの、適用開始日６０２から４日経過後の判定日６０３の状態とする。この場合、判定日６０３から終了日６０４までの日数は、１０日−４日＝６日となる。
【００５６】
まず、表３のＣｙａｎ信号について見ると、目標色信号量が１０００であるのに対し、判定日６０３までの累積色信号量は２００であり、１日当たりの実績平均使用量（すなわち、単位期間当たりの色信号量）は２００／４日＝５０となる。この値は、図６（Ａ）の実績曲線６０５について、開始日６０２と判定日６０３との間を予測直線６０６で近似した場合の傾きを示す。今後の平均使用量が予測直線６０６に従うと仮定し、終了日６０４までの累積色信号量の予測値を（適用期間全日数）×（実績平均使用量）で算出すると、Ｃｙａｎの予測累積色信号量は５０×１０日＝５００となる。この予測累積色信号量５００を目標色信号量１０００と比較すると、（目標色信号量）＞（予測累積色信号量）であり、目標色信号量に対して差分６０７（１０００−５００＝５００）だけ下回っている。したがって、目標制御部２０２は、Ｃｙａｎは目標の達成が可能であると予測する。この予測結果は、表３に示すように、目標予測情報２０８の「目標達成予測」に「可能」として保持される。
【００５７】
次いで、表３のＭａｇｅｎｔａ信号について見ると、判定日までの累積色信号量は３００であり、１日当たりの実績平均使用量は３００／４日＝７５となる。よって、Ｍａｇｅｎｔａの予測累積色信号量は７５×１０日＝７５０となる。したがって、予測累積色信号量７５０を目標色信号量１０００と比較すると、同じく（目標色信号量）＞（予測累積色信号量）であり、目標制御部２０２は、Ｍａｇｅｎｔａは目標の達成が可能であると予測する。この予測結果は、表３に示すように、目標予測情報２０８の「目標達成予測」に「可能」として保持される。
【００５８】
次いで、表３のＢｌａｃｋ信号について見ると、判定日までの累積色信号量は１２００であり、１日当たりの実績平均使用量は１２００／４日＝３００となる。よって、Ｂｌａｃｋの予測累積色信号量は３００×１０日＝３０００となる。したがって、予測累積色信号量３０００を目標色信号量３０００と比較すると、（目標色信号量）＝（予測累積色信号量）であり、目標制御部２０２は、Ｃｙａｎ及びＭａｇｅｎｔａと同じく、Ｂｌａｃｋは目標の達成が可能であると予測する。この予測結果は、表３に示すように、目標予測情報２０８の「目標達成予測」に「可能」として保持される。
【００５９】
次いで、図６（Ｂ）を参照して、Ｙｅｌｌｏｗ信号の目標達成度予測処理について説明する。表３のＹｅｌｌｏｗ信号について見ると、目標色信号量が１２００であるのに対し、判定日６０８までの累積信号量は５４０であり、１日当たりの実績平均使用量は５４０／４日＝１３５となる。この値は、図６（Ｂ）の実績曲線６０９について、開始日６１３と判定日６０８との間を予測直線６１０で近似した場合の傾きを示す。今後の平均使用量が予測直線６１０に従うと仮定すると、終了日６１４までの予測累積色信号量は１３５×１０日＝１３５０となる。この予測累積色信号量１３５０を目標色信号量１２００と比較すると、（目標色信号量）＜（予測累積色信号量）であり、目標色信号量に対して差分６１２（１３５０−１２００＝１５０）だけ上回っている。したがって、目標制御部２０２は、Ｙｅｌｌｏｗは目標の達成が困難であると予測する。この予測結果は、表３に示すように、目標予測情報２０８の「目標達成予測」に「要調整」として保持される。
【００６０】
このように、上述した目標達成度予測処理の結果は、いずれも表３に示す目標予測情報２０８として保持される。
【００６１】
なお、目標値がＡＬＬで指定されている場合は、各色の累積色信号量の合算値を用いて予測累積色信号量を算出し、目標色信号量と比較することで、目標達成度を予測する。
【００６２】
また、各色についてステップＳ３０７及びＳ３０８を繰り返すようにして、累積色信号量の算出から目標達成度予測処理までを一連の処理として行ってもよい。
【００６３】
次いで、ステップＳ３０９において、目標制御部２０２は、全ての色について目標達成が可能であるかを判定し、出力画像の画質レベルを決定する。全ての色が目標達成可能である場合、ステップ３１０に進み、現状の画質レベル（すなわち、表２の目標設定情報２０７で設定されている画質レベル）を維持したまま、画像出力部１０９が画像を出力して、処理を終了する。一方、目標の達成が困難であると予測された場合、ステップＳ３１１に進む。ステップＳ３１１以降の処理は、信号調整部２０４による処理である。
【００６４】
ここで、ステップＳ３０８の目標達成度予測処理で「要調整」となったＹｅｌｌｏｗについて、目標制御部２０２によって行われる必要削減率算出処理について説明する。
【００６５】
表３を参照すると、図６（Ｂ）の判定日６０８から適用期間最終日までの目標に対する残信号量は、１２００（目標色信号量）−５４０（累積色信号量）＝６６０（残信号量）である。また、判定日６０８から終了日６１４までの残日数は６日である。よって、１日当たりの使用可能な色信号量は、６６０／６日＝１１０となる。１日当たりの実績平均使用量１３５に対して、残期間で使用量を１１０に抑えるために必要な削減率は、（１−１１０／１３５）×１００≒１８％である。算出された必要削減率は、表３に示す目標予測情報２０８に保持される。したがって、Ｙｅｌｌｏｗについて、現時点で１８％削減可能な画質レベルに切り替える必要がある。
【００６６】
本実施形態では、以下に説明する方法を用いて画質レベルの切り替え処理が行われる。画質レベル切り替え処理は、後述するように信号調整部２０４により実施される。なお、上記表４で示した標準色変換テーブル２０９を用いて色信号変換処理を行った場合、最も高い画質（レベル０）が保証されるものとする。
【００６７】
本実施形態では、画質レベルの指標を元の色からの色差レベルで定義し、指定した色差範囲に存在する標準と異なるＣＭＹＫ信号値の組合せからなる複数の信号調整用色変換テーブルを、記憶部１０７に信号調整用データ２１０として保持しておく。複数の信号調整用色変換テーブルとは、すなわち、信号調整情報であり、ここでは、各色の信号量の平均削減率が指定された色差別色変換テーブルである。以下の表５に示すように、これらの複数の信号調整用色変換テーブルはそれぞれ、標準色変換テーブル２０９に対する各格子点の平均的な色差情報（テーブル内平均色差）と、ＣＭＹＫ信号量の削減率（信号量平均削減率）とを付帯情報として含む。表５では、３つの信号調整用色変換テーブルを例として挙げる。「Ｙレベル１」色変換テーブルは、標準色変換テーブル２０９の対応する各格子点に対し、平均色差が１．０〜３．０の範囲に収まるようなＣＭＹＫ信号値を含み、色味の差が一般的な用途での許容範囲内に収まる画質レベル１を実現する。また、「Ｙレベル１」色変換テーブルにおける各色の信号量の平均削減率はそれぞれＣｙａｎ２％、Ｍａｇｅｎｔａ１％、Ｙｅｌｌｏｗ１０％、Ｂｌａｃｋ４％であり、Ｙｅｌｌｏｗが優先して削減されている。すなわち、「Ｙレベル１」色変換テーブル及び「Ｙレベル２」色変換テーブルは、Ｙｅｌｌｏｗが要調整と判定された場合に選択される色変換テーブルである。
【００６８】
「Ｙレベル２」色変換テーブル及び「Ｋレベル３」色変換テーブルでは、平均色差がそれぞれ３．０〜８．０及び８．０〜と大きく、標準からの色味の差は許容範囲を超える画質レベル２や画質レベル３であるが、信号量の削減率も大きい。
【００６９】
いずれの信号調整用色変換テーブルの構成も、表４に示す標準の色変換テーブル２０９と同様であるが、入力のＲＧＢ値に対応するＣＭＹＫ値が異なる。
【００７０】
【表５】
2018195947.tif 000007
【００７１】
信号調整部２０４は、上記複数の信号調整用色変換テーブルから、必要削減率に応じて信号調整用色変換テーブルを選択して画質レベルを切り替え、信号調整処理（ステップＳ３１１〜Ｓ３１６）を行う。
【００７２】
ステップＳ３１１で、信号調整部２０４は、画質レベルの切り替え処理を行う。
【００７３】
図４は、本実施形態における画質レベル切り替え処理のフローチャートである。
【００７４】
ステップＳ４０１で、信号調整部２０４は、目標の達成が困難であると予測され、「要調整」となった調整対象色を、目標予測情報２０８から取得する。ここでは、目標予測情報２０８より、Ｙｅｌｌｏｗが調整対象色として取得される。
【００７５】
ステップＳ４０２で、信号調整部２０４は、取得した調整対象色（すなわち、Ｙｅｌｌｏｗ）について、目標予測情報２０８から現時点での必要削減率を取得する。ここでは、必要削減率として、Ｙｅｌｌｏｗの１８％が取得される。
【００７６】
ステップＳ４０３で、信号調整部２０４は、上記表５に示した信号調整用データ２１０を参照し、調整対象色であるＹｅｌｌｏｗの削減率が１８％を超える信号調整用色変換テーブルを選択する。ここでは、Ｙｅｌｌｏｗが調整対象色であるため、Ｙｅｌｌｏｗの削減率が大きいＹレベルテーブルから選択される。
【００７７】
なお、調整対象色の必要削減率を満たす信号調整用色変換テーブルが複数存在する場合は、削減率が最も小さい（すなわち、画質レベルが最も高い）信号調整用色変換テーブルが選択される。また、信号調整用色変換テーブルの削減率が等しい場合は、その他の色の削減率も合算した合計削減率が最も小さい信号調整用色変換テーブルが選択される。また、調整対象色が複数存在する場合は、いずれの必要削減率も満たす信号調整用色変換テーブルが選択される。また、目標値がＡＬＬで指定されている場合は、信号調整用色変換テーブルの各色の削減率を合算した合計削減率が、必要削減率を超えるテーブルが選択される。
【００７８】
ステップＳ４０４で、信号調整部２０４は、選択された信号調整用色変換テーブルの画質レベルを取得し、処理を終了する。
【００７９】
以上説明したように、信号調整部２０４は、ステップＳ３１１における画質レベル切り替え処理を行う。すなわち、信号調整部２０４は、信号量が削減された信号調整用色変換テーブルを選択することで、出力画像の画質レベルを低画質レベルに切り替える。次いで、処理は、ステップＳ３１２に移行する。
【００８０】
ステップＳ３１２で、信号調整部２０４は、取得した画質レベル（すなわち、切り替えた画質レベル）が、予め設定された許容範囲内にあるかどうか判定する。許容範囲とは、ユーザが色味の変動、すなわち、画質の劣化を感じない画質レベルの範囲である。取得した画質レベルがレベル１、すなわち許容範囲内であれば、取得した画質レベルを維持したままステップＳ３１６に進み、選択した信号調整用色変換テーブルを用いて色信号が調整される。この場合、ユーザは色味の変動、すなわち画質の劣化を感じない。
【００８１】
一方、取得した画質レベルがレベル２以上、すなわち許容範囲を超えると判断された場合、ステップＳ３１３に進む。このＹｅｌｌｏｗ信号の例では、必要削減率１８％を満たすために「Ｙレベル２」色変換テーブルが選択される。「Ｙレベル２」色変換テーブルの画質レベルはレベル２であるため、許容範囲を超えてしまう。したがって、処理は、ステップＳ３１３に進む。
【００８２】
ステップＳ３１３で、信号調整部２０４は、目標設定画面５０１で設定された目標を優先するか否かを、操作部１０４を介して取得したユーザからの入力情報により判断する。
【００８３】
図７は、本実施形態における優先項目選択画面を示す。優先項目選択画面は、操作部１０４に表示される。
【００８４】
図７（Ａ）の優先項目選択画面７０１に示すように、ユーザによって目標７０４が選択された場合、ステップＳ３１４に進み、信号調整部２０４は、操作部１０４に画質低下の可能性について警告７０５を表示する。すなわち、ステップＳ３１１で切り替えた画質レベルは維持される。
【００８５】
次いで、ステップＳ３１６に進み、信号調整部２０４は、ステップＳ３１１で切り替えた画質レベルの信号調整用色変換テーブルで色信号の調整を行う。
【００８６】
一方、図７（Ｂ）の優先項目選択画面７０２に示すように、ユーザによって画質７０６が選択された場合、ステップＳ３１５に進み、目標超過の可能性について警告７０８を表示する。また、ここでは、許容範囲内の画質レベルへの切り替え処理が行われる。Ｙｅｌｌｏｗ信号の例では、信号調整部２０４は、Ｙレベル２と比較して信号量の削減率は下がるものの、画質が向上するＹレベル１色変換テーブルを選択する。また、信号調整部２０４は、標準色変換テーブルを選択してもよい。
【００８７】
次いで、ステップＳ３１６に進み、信号調整部２０４は、ステップＳ３１５で切り替えた画質レベルの信号調整用色変換テーブルで色信号の調整を行う。
【００８８】
その後、ステップＳ３１０で画像出力部１０９が画像を出力して、処理を終了する。
【００８９】
以上説明したように、本実施形態によると、目標値として使用トナー数量が指定された条件下でなるべく高画質な画像を出力するように、入力画像に対応する出力色信号を調整することが可能となる。
【００９０】
（第２の実施形態）
上述した実施形態１では、図５の目標設定画面５０１において、ユーザにより使用トナー数量５０４が指定された場合を説明したが、本実施形態では、図５の目標設定画面５０１において、ユーザにより印刷枚数５０５が指定された場合を説明する。
【００９１】
目標設定画面５０１において、目標の適用項目として印刷枚数５０５が選択されると、具体的な目標値を設定するための目標値設定画面５０３が表示される。本実施形態では、Ａ４版のカラー印刷に対する目標値が設定されるものとする。目標値設定画面５０３では、ユーザによりＡ４カラーの入力欄５２０に、目標値としてカラー印刷の印刷枚数（すなわち、カラー出力の出力枚数）が入力される。
【００９２】
以下、図３、５、６を参照して、本実施形態における画像処理の特徴を説明する。上記第１の実施形態における画像処理は、図３のフローチャートを参照して説明したが、本実施形態における画像処理も同様に、図３のフローチャートを参照して説明する。
【００９３】
ステップＳ３０１で、操作部１０４の目標設定部２０１は、記憶部１０７に予め保持されている装置情報２０６を取得する。本実施形態における装置情報２０６は、以下の表６に示すように、各色の「カラー基準信号量」を示すテーブルである。「カラー基準信号量」とは、画像形成装置１００に対する印刷枚数を規定するために用いられる基準画像を１枚の記録媒体に印刷した場合に使用される出力色信号量である。
【００９４】
【表６】
2018195947.tif 000008
【００９５】
ステップＳ３０２で、目標設定部２０１は、操作部１０４からユーザにより設定された目標の適用項目と目標値を取得し、記憶部１０７に目標設定情報２０７として格納する。
【００９６】
ステップＳ３０３で、目標設定部２０１は、ユーザにより設定された目標の適用期間、画質レベル、適用部門、及び適用ユーザなどの目標の適用条件を取得し、記憶部１０７に格納された目標設定情報２０７に追加する。
【００９７】
以下の表７は、本実施形態において印刷装置Ｂに対して設定された目標設定情報２０７の例を示す。
【００９８】
【表７】
2018195947.tif 000009
【００９９】
表７では、目標の適用項目が印刷枚数で設定され、目標値は、カラー印刷（Ａ４版）で１０００枚として設定されている。また、表７では、目標の適用条件として、適用期間が「１０日間」、画質レベルが「レベル０」、適用部門が「全部門」、適用ユーザが「指定なし」として設定されている。
【０１００】
次に、ステップＳ３０４で、目標設定部２０１は、表６に示す基準画像１枚当たりの各色のカラー基準信号量と、表７に示す目標値とを用いて、適用期間内の目標となる目標色信号量を算出する。この例では、目標値はカラー印刷（Ａ４版）で１０００枚であり、表６に示す装置情報２０６によれば、基準画像１枚当たりの各色のカラー基準信号量を合算した合計基準信号量は、２０＋２０＋２０＋４０＝１００である。よって、目標適用期間の１０日間で使用可能な目標色信号量は、１００×１０００（枚）＝１０００００となる。目標設定部２０１は、算出した目標色信号量を、記憶部１０７の目標予測情報２０８として保持する。
【０１０１】
以下の表８は、本実施形態における目標予測情報２０８として保持されている目標色信号量を示す。なお、目標色信号量以外の情報（すなわち、累積色信号量、目標達成予測、及び必要削減率）は、後述するステップＳ３０７以降の処理において格納される。
【０１０２】
【表８】
2018195947.tif 000010
【０１０３】
以上で、目標設定部２０１による処理が終了する。
【０１０４】
以降の処理は、第１の実施形態と同じである。上述したように、本実施形態では、目標色信号量を各色の合計基準信号量を用いて算出した。以降の処理においても、各色の出力色信号量を合計して累積色信号量を算出し、目標達成度を予測し、必要削減率を算出する。したがって、本実施形態における以降の処理は、第１の実施形態において使用トナー数量を総数で指定した場合と同様に行われる。
【０１０５】
本実施形態では、目標色信号量が１０００００であるのに対し、判定日６０８までの累積色信号量を、６００００とすると、１日当たりの実績平均使用量は６００００／４日＝１５０００となる。この値は、実績曲線６０９を開始日６１３と判定日６０８との間で近似した予測直線６１０の傾きを示す。今後の平均使用量が予測直線６１０に従うと仮定し、終了日６１４までの累積色信号量の予測値を（適用期間全日数）×（実績平均使用量）で算出すると、予測累積色信号量は１５０００×１０日＝１５００００となる。
【０１０６】
したがって、目標色信号量と予測累積色信号量の差分６１２は＋５００００となるため、目標制御部２０２は、目標の達成が困難であると予測する。この予測結果は、表８に示すように、目標予測情報２０８の「目標達成予測」に「要調整」として保持される。
【０１０７】
また、残期間で使用量を１０００００に抑えるために必要な削減率は、（１−１０００００／１５００００）×１００≒３３％と算出される。算出された必要削減率は、表８に示すように、目標予測情報２０８の「必要削減率」として保持される。したがって、本実施形態では、判定日時点で３３％削減可能な信号調整用色変換テーブルを選択し、色信号調整処理を行う必要がある。
【０１０８】
以上説明したように、本実施形態によると、目標値として印刷枚数が指定された場合も実施形態１と同様に、与えられた条件下でなるべく高画質な画像を出力するように、入力画像に対応する出力色信号を調整することが可能となる。
【０１０９】
（第３の実施形態）
上述した実施形態２では、図５の目標設定画面５０１において目標の適用項目として印刷枚数５０５が選択された後、目標値設定画面５０３でカラー印刷に対する目標値（印刷枚数）が指定された場合を説明した。本実施形態では、図５の目標設定画面５０１において目標の適用項目として印刷枚数５０５が選択された後、目標値設定画面５１９においてカラー印刷の印刷枚数５１６とモノクロ印刷の印刷枚数５１７の目標値が指定された場合を説明する。すなわち、カラー出力及びモノクロ出力のそれぞれの出力枚数が指定された場合である。
【０１１０】
操作部１０４は、目標の適用項目として印刷枚数５０５が選択されると、具体的な目標値（印刷枚数）を設定する目標値設定画面５１９を表示する。本実施形態では、カラー印刷とモノクロ印刷とを区別して目標値を指定するケースを説明するが、カラー印刷とモノクロ印刷とを区別せずにそれらの合計印刷枚数に対して目標値を設定することも可能である。すなわち、カラー出力及びモノクロ出力の総出力枚数を指定することができる。その場合、ユーザは、目標値設定画面５１９のＡＬＬ５１８に合計印刷枚数を入力する。すなわち、
以下、図３、５、６、８、９を参照して、本実施形態における画像処理の特徴を説明する。
【０１１１】
上記第１及び第２の実施形態における画像処理は、図３のフローチャートを参照して説明したが、本実施形態における画像処理も同様に、図３のフローチャートを参照して説明する。
【０１１２】
ステップＳ３０１で、操作部１０４の目標設定部２０１は、記憶部１０７に予め保持されている装置情報２０６を取得する。本実施形態における装置情報２０６は、以下の表９に示すように、各色の「カラー基準信号量」と、「モノクロ基準信号量」とを示すテーブルである。「カラー基準信号量」及び「モノクロ基準信号量」とは、画像形成装置１００に対する印刷枚数を規定するために用いられる基準画像を印刷した場合に使用される出力色信号量である。
【０１１３】
【表９】
2018195947.tif 000011
【０１１４】
ステップＳ３０２で、目標設定部２０１は、操作部１０４からユーザにより設定された目標の適用項目と目標値を取得し、記憶部１０７に目標設定情報２０７として格納する。
【０１１５】
ステップＳ３０３で、目標設定部２０１は、ユーザにより設定された目標の適用時間、画質レベル、適用部門、及び適用ユーザなどの目標の適用条件を取得し、記憶部１０７に格納された目標設定情報２０７に追加する。
【０１１６】
以下の表１０は、本実施形態において印刷装置Ｂに対して設定された目標設定情報２０７の例を示す。
【０１１７】
【表１０】
2018195947.tif 000012
【０１１８】
表１０では、目標の適用項目が印刷枚数で設定され、目標値は、カラー印刷（Ａ４版）で１０００枚、モノクロ印刷（Ａ４版）で２０００枚として設定されている。なお、カラー印刷及びモノクロ印刷の総数で目標値を設定する場合は、ＡＬＬ（この場合、３０００枚）が用いられる。
【０１１９】
また、表１０では、目標の適用条件として、適用期間が「１０日間」、画質レベルが「レベル０（カラー）」及び「レベル１（モノクロ）」、適用部門が「全部門」、適用ユーザが「指定なし」として設定されている。
【０１２０】
次に、ステップＳ３０４で、目標設定部２０１は、表９に示す基準画像１枚当たりのカラー基準信号量及びモノクロ基準信号量と、表１０に示す目標値とを用いて、適用期間内の目標となる目標色信号量を算出する。この例では、目標値はカラー印刷（Ａ４版）で１０００枚、モノクロ印刷（Ａ４版）で２０００枚である。表１０に示す装置情報２０６によれば、基準画像１枚当たりの合計基準信号量は、カラー印刷の場合、２０＋２０＋２０＋４０＝１００である。よって、目標適用期間の１０日間で使用可能な目標色信号量は、１００×１０００（枚）＝１０００００となる。本実施形態では、単位期間当たりの色信号量として一日単位の実績（累積色信号量）で目標達成度を判断するため、目標色信号量は１０００００／１０（日）＝１００００となる。
【０１２１】
また、モノクロ印刷の場合、表１０に示す装置情報２０６によれば、基準画像１枚当たりのモノクロ基準信号量は、５０である。よって、目標適用期間の１０日間で使用可能な目標色信号量は、５０×２０００（枚）＝１０００００となる。本実施例では、一日単位で目標達成度を実績（累積色信号量）で判断するため、目標色信号量（日単位）は、１０００００／１０（日）＝１００００となる。
【０１２２】
なお、目標値が、カラー印刷及びモノクロ印刷の総数（すなわち、ＡＬＬ）で指定されている場合、表９の装置情報２０６に格納されたカラー基準信号量及びモノクロ基準信号量のうち、合計基準信号量が大きくなる方を用いて目標色信号量が算出される。この例では、目標色信号量（日単位）は、カラー印刷の場合と同じ値となる。
【０１２３】
このように、本実施形態では、目標色信号量を一日単位で算出し、目標達成度を判断することで、目標適用期間終了時に目標を達成できるかどうかを予測する。
【０１２４】
また、表１０に示すように、画質レベルは、カラー印刷とモノクロ印刷とでそれぞれ異なるレベルに設定することが可能である。
【０１２５】
目標設定部２０１は、算出した目標色信号量を、記憶部１０７の目標予測情報２０８として保持する。
【０１２６】
以下の表１１は、本実施形態における目標予測情報２０８として保持されている一日単位の目標色信号量を示す。なお、目標色信号量以外の情報（すなわち、累積色信号量、目標達成予測、及び必要削減率）は、後述するステップＳ３０７以降の処理において格納される。
【０１２７】
【表１１】
2018195947.tif 000013
【０１２８】
以上で、目標設定部２０１による処理が終了する。
【０１２９】
ステップＳ３０５、Ｓ３０６の処理は、上述した第１の実施形態と同様である。
【０１３０】
ステップＳ３０７〜Ｓ３０９の目標制御部２０２による処理は、以下の通りである。
【０１３１】
ステップＳ３０７で、本実施形態における目標制御部２０２は、判定日当日の累積色信号量を算出する。具体的には、目標制御部２０２は、まず、ステップＳ３０６で変換した出力色信号の画像内の出力色信号量を算出する。さらに、目標制御部２０２は、算出した出力色信号量を、判定日に出力された画像の総出力色信号量に加算し、判定日当日の累積色信号量として、表１１に示すように目標予測情報２０８として保持する。
【０１３２】
なお、目標値がＡＬＬで指定されている場合も同様である。
【０１３３】
次に、ステップＳ３０８にて、目標制御部２０２は、判定日当日の累積色信号量から一日の目標達成度を予測する。すなわち、目標制御部２０２は、累積色信号量が一日の目標色信号量を下回るか否かを判定する。
【０１３４】
図６（Ｃ）は、本実施形態における目標達成度予測処理において、判定日とその前後の累積信号量を示す図である。目標制御部２０２は、判定日６１５の実績である累積色信号量を示す棒グラフが、一日の目標色信号量６１６を超過するか否かを判断する。図６（Ｃ）では、判定日６１５の累積色信号量は一日の目標色信号量６１６を超過しているため、判定日６１５の段階で画質レベルの切り替えが必要である。なお、判定日６１５の前日６１７の累積色信号量は一日の目標色信号量を下回っており、前日６１７の時点では画質レベルを切り替える必要はないと判断されている。
【０１３５】
表１１に示す目標予測情報２０８を参照すると、判定日のカラー印刷の累積色信号量は１１０００であり、一日の目標色信号量である１００００との差分が＋１０００である。したがって、目標の達成は困難であると予測されるため、「要調整」と判断され、必要削減率は目標色信号量に対して１０％と算出される。一方、モノクロ印刷の場合、判定日の累積色信号量は８０００であり、目標の達成は可能であると判断される。したがって、画質レベルの調整は不要と判断され、必要削減率は０となる。上記目標達成予測の結果は、表１１に示すように、「目標達成予測」及び「必要削減率」として目標予測情報２０８に保持される。
【０１３６】
なお、目標値がＡＬＬで指定されている場合も同様である。
【０１３７】
次いで、ステップＳ３０９において、目標制御部２０２は、カラー印刷及びモノクロ印刷において、目標の達成が可能であるかを判定し、出力画像の画質レベルを決定する。目標の達成が可能であると予測されている場合は、ステップＳ３１０に進み、現状の画質レベル（すなわち、表１０の目標設定情報で設定されている画質レベル）を維持したまま、画像出力部１０９が画像を出力して、処理を終了する。一方、目標の達成が困難であると予測され、「要調整」となった場合は、ステップＳ３１１に進み、画質レベルを切り替える。
【０１３８】
本実施形態では、カラー印刷とモノクロ印刷とで異なる画質レベル切り替え処理を行う例を説明する。モノクロ印刷の場合は、カラー印刷の場合に採用した色差指標に応じた色変換テーブルではなく、処理が単純な一次元濃度変換テーブルを用いて画質レベル切り替え処理を行う。
【０１３９】
図８は、本実施形態における信号調整用濃度変換テーブルを説明する図である。本実施形態では、図示されるように、０〜２５５の出力色信号に対する標準の濃度変換テーブル８０１に対し、一定の傾きを持たせた複数の信号調整用濃度変換テーブル８０２、８０３、８０４を、記憶部１０７に信号調整用データ２１０として保持しておく。複数の信号調整用濃度変換テーブル８０２、８０３、８０４には、傾き度合いによりそれぞれの画質レベルと信号削減率を規定しておく。ここでは、画質レベルを、標準レベルにおける最大濃度との差異で規定する。以下の表１２に、本実施形態における各信号調整用濃度変換テーブルの画質レベル、最大濃度差、及び信号削減率を示す。
【０１４０】
【表１２】
2018195947.tif 000014
【０１４１】
なお、表１２に示す標準の濃度変換テーブルを用いて信号変換処理を行った場合、最も高い画質（レベル０）が保証されるものとする。
【０１４２】
図９は、本実施形態における画質レベル切り替え処理のフローチャートである。画質レベル切り替え処理は、信号調整部２０４によって行われる。
【０１４３】
ステップＳ９０１で、信号調整部２０４は、印刷する画像がモノクロ印刷かどうかを判定する。モノクロ印刷でない場合、すなわち、カラー印刷である場合は、図４のステップＳ４０１に移行し、信号調整部２０４は、上述したようにカラー印刷の場合における画質レベル切り替え処理を行う。一方、モノクロ印刷である場合は、ステップＳ９０２に進む。
【０１４４】
ステップＳ９０２で、信号調整部２０４は、表１１に示す目標予測情報２０８から現時点での必要削減率を取得する。
【０１４５】
ステップＳ９０３で、信号調整部２０４は、表１２に示す信号調整用データ２１０を参照し、取得した必要削減率を満たす信号調整用濃度変換テーブルを選択する。
【０１４６】
ステップＳ９０４で、信号調整部２０４は、選択された信号調整用濃度変換テーブルの画質レベルを取得し、処理を終了する。次いで、処理は、ステップＳ３１２に移行する。
【０１４７】
この後の処理は、第１の実施形態と同様である。
【０１４８】
以上説明したように、本実施形態によると、印刷する画像がカラー印刷かモノクロ印刷かに応じて、画像に適した画質レベル切り替え処理を行いながら、入力画像に対応する出力色信号を調整することが可能となる。
【０１４９】
（その他の実施形態）
本発明は、上述の実施形態の１以上の機能を実現するプログラムをネットワーク又は記憶媒体を介してシステム又は装置に供給し、そのシステム又は装置のコンピュータにおける１以上のプロセッサがプログラムを読出して実行する処理でも実現可能である。また、１以上の機能を実現する回路（例えば、ＡＳＩＣ）によっても実現可能である。
【図１】
2018195947.tif 000015
【図２】
2018195947.tif 000016
【図３】
2018195947.tif 000017
【図４】
2018195947.tif 000018
【図５】
2018195947.tif 000019
【図６】
2018195947.tif 000020
【図７】
2018195947.tif 000021
【図８】
2018195947.tif 000022
【図９】
2018195947.tif 000023